(57)【特許請求の範囲】
【請求項１】
弦楽器に１つの弦を追加するためのシステムであって、
前記弦の第一外端部の解放可能な取付けの目的のために前記弦楽器のサドルと協働することが意図される１つ又はそれよりも多くの第一固定部材と、
前記弦の第二外端部の取付け及びその調律の目的のために意図される追加的な調律装置と、
該追加的な調律装置を固定する目的のために前記弦楽器の頭部と解放可能に協働することが意図される第二固定部材とを含む、
システム。
【請求項２】
前記第二固定部材は、前記弦楽器の前記頭部に締め付け得るクランプ部材を含み、該クランプ部材は、前記追加的な調律装置を備え、或いは、前記追加的な調律装置を取り付け得る開口を備える、請求項１に記載のシステム。
【請求項３】
前記クランプ部材は、前記弦楽器の前記頭部の周りに押し付け得るＵ形状断面の部分と、前記調律装置を取り付け得る取付けプレートとから成る、請求項２に記載のシステム。
【請求項４】
前記部分は、チャンバを含み、該チャンバは、押圧プレートと、該押圧プレートを前記チャンバから外すよう押圧し得る押付けネジとを備える、請求項３に記載のシステム。
【請求項５】
前記第一固定部材は、少なくとも１つの開口を備え、該少なくとも１つの開口は、前記弦楽器の少なくとも１つの弦ピンを含む、請求項１に記載のシステム。
【請求項６】
前記第一固定部材を前記弦楽器の弦ピンの間に押し込み得るよう、前記第一固定部材は櫛状の形態を取る、請求項１に記載のシステム。
【請求項７】
前記第一固定部材は、幾つかの弦が落ち入るノッチを備え、前記第一固定部材は、その上側に、前記追加されるべき弦を固定し得るノッチを備える、請求項１に記載のシステム。
【請求項８】
当該システムは、１つ又はそれよりも多くのフック部材、並びに、該１つ又はそれよりも多くののフック部材を前記弦楽器に固定するための固定手段を備え、前記フック部材は、前記フック部材に掛止されるときに、弦が実質的に前記弦楽器の本体と他の弦の平面との間に位置付けられるよう構成される、請求項１に記載のシステム。
【請求項９】
前記フック部材は、掛止される弦の位置を前記他の弦の平面に対して調節するための調節手段を含む、請求項８に記載のシステム。
【請求項１０】
前記フック部材は、毒キノコ形状のニップルを含み、該ニップルは、フェルト又はゴムのような制動材料の管状片を備える、請求項９に記載のシステム。
【請求項１１】
前記固定手段は、前記弦楽器の音響孔内に締め付け得る条片を含む、請求項８に記載のシステム。
【請求項１２】
前記固定手段は、前記弦楽器に付着し得る接着手段を下面に備える条片を含む、請求項８に記載のシステム。
【請求項１３】
請求項１乃至１２のうちのいずれか１項に記載のシステムを備える弦楽器。
【発明の詳細な説明】
【技術分野】
【０００１】
本発明は、ギターのような弦楽器に弦を追加するための方法に関し、調律装置が弦楽器の頭部に取り付けられ、然る後、弦が調律装置と弦楽器のブリッジとの間に伸長される。
【背景技術】
【０００２】
そのような方法は既知である。ここでは、余分な孔が頭部に穿孔され、然る後、調律装置がこの孔内に固定される。追加的な弦の一方の側は、ここでは、既存の弦と実質的に平行に伸長され、追加的な弦は、音が既存の弦よりも精密にオクターブ高いように調律される。追加的な弦の他方の側は、追加的な弦ピンを用いて固定され、その目的のために、余分な孔を同様に穿孔しなければならない。このようにして、例えば、コードを演奏するときに、驚くほど温かい音を得ることができる。
【発明の概要】
【発明が解決しようとする課題】
【０００３】
既知の方法の欠点は、弦楽器が不可逆的に変更され、それによって、弦楽器の価値が失われることである。
【課題を解決するための手段】
【０００４】
本発明に従った方法は、この欠点を取り除くものであり、調律装置がクランプ部材に取り付けられる機能、及び、クランプ部材が頭部の上に締め付けられる機能を有する。その場合には、痕跡を残さずに調律装置を取り外すことが容易に可能である。追加される弦の他方の側は、好ましくは、既存の弦と関連付けられる弦ピンを使用して、既存の弦と共に固定されるので、ここでは、余分な孔を穿孔することは不要である。追加的な弦のために別個の固定部材を追加することも可能であり、この固定部材は、例えば、既存の弦ピンの背部に掛止される。
【０００５】
発明的な方法の好適な実現は、弦楽器の本体が弦を掛止し得るニップルを備えるという機能を有する。これによって、弦楽器の演奏中でさえ、例えば、コードが演奏されるときに、追加的な弦を選択的に同時共鳴させることが可能になる。ニップルを弦楽器の本体に直接的に固定し得る。その目的のために、極めて小さい孔が本体に穿孔されなければならないが、好ましくは、ニップルは固定条片を使用して固定され、固定条片は弦楽器の音響孔内に掛止され、或いは、固定条片は解放可能に本体に接着される。
【０００６】
本発明は、弦楽器に１つ又はそれよりも多くの弦を追加するためのシステムにも関し、当該システムは、１つ又はそれよりも多くの弦の第一外端部の解放可能な取付けの目的のために弦楽器のサドルと協働することが意図される１つ又はそれよりも多くの第一固定部材と、１つ又はそれよりも多くの弦の第二外端部の取付け及びその調律の目的のために意図される１つ又はそれよりも多くの追加的な調律装置と、１つ又はそれよりも多くの追加的な調律装置を固定する目的のために弦楽器の頭部と解放可能に協働することが意図される１つ又はそれよりも多くの第二固定部材とを含む。第一及び第二の固定部材は、好ましくは、それら無傷で取り付け且つ弦楽器に対する損傷の可能性を伴わずにそれらを取り外し得るように具現化される。
【０００７】
本発明に従ったシステムの好適な実施態様は、１つ又はそれよりも多くの掛止部材、並びに、１つ又はそれよりも多くののフック部材を前記弦楽器に固定するための固定手段も備え、フック部材は、フック部材に掛止されるときに、弦が実質的に弦楽器の本体と他の弦の平面との間に位置付けられるよう構成される。フック部材は、ここでは、好ましくは、追加的な弦の振動がフック位置で可能でないように配置される。追加的な弦を選択的に掛止することによって、追加的な弦を実質的に活性化し、或いは、逆に、非活性化し得る。
【０００８】
上述の好適な実施態様の更なる展開において、フック部材は、掛止される弦の位置を他の弦の平面に対して調節するための調節手段を含む。この手段を使用してフレットに対する弦の高さをギターのような弦楽器毎に変更し得るので、掛止される弦が頚部のフレット上に実質的に平坦に位置するようになるように、フック部材を簡単な方法で調節し得る。
【０００９】
本発明に従ったシステムの好適な実施態様において、第二固定部材は、弦楽器の頭部に締め付け得るクランプ部材を含み、クランプ部材は、追加的な調律装置を備え、或いは、追加的な調律装置を取り付け得る開口を備える。開口を備える実施態様において、開口は、好ましくは、スロット付き孔によって形成され、それによって、使用者の願望に従って調律装置の位置を選択することが可能になる。
【００１０】
本発明に従ったシステムの更なる極めて好適な実施態様において、クランプ部材は、チャンバを含み、チャンバは、押圧プレートと、押圧プレートをチャンバから外すよう押圧し得る押付けネジとを備える。押圧ネジによって加えられる力は、押圧プレートによって比較的大きな面積に亘って分配され、それによって、弦楽器の頭部に対する損傷を実質的に排除し得る。クランプ部材のクランプ表面を、例えば、フェルトによって更に覆い得る。それによって、頭部に対する損傷は確実に起こり得ない。その上、フェルトは、プレートがチャンバから落ちないことを保証し得る。
【００１１】
更なる容易に実現される実施態様において、フック部材は、毒キノコ形状のニップルを含み、ニップルは、フェルト又はゴムのような制動材料の管状片を備える。弦が掛止されるときに、弦は効果的に制動されるので、偶発的な接触の場合に、音は実質的に生み出されない。
【００１２】
更なる好適な実施態様において、固定手段は、弦楽器の音響孔内に締め付け得る条片を含む。このようにして、弦楽器に対する不可逆的な変更を伴わずに、ニップルを迅速且つ容易に配置し且つ取り外すことが可能である。例えば、条片の周縁側に溝を設けることによって、或いは、ネジ又はバネを使用して互いに向かう方向に引っ張られる二部条片の組み合わせとして条片を具現化することによって、所要の締付け（クランピング）を得ることができる。
【００１３】
音響孔を具備しない弦楽器において利用し得る好適な代替的な実施態様において、固定手段は、弦楽器に付着し得る接着パッドを下面に備える条片を含む。このようにして、その場合には、弦楽器に対する不可逆的な変更を伴わずに、迅速且つ容易にニップルを配置し且つ取り外すことが可能である。
【００１４】
更なる好適な実施態様において、第一固定部材は、少なくとも１つの開口を備え、少なくとも１つの開口は、弦楽器の少なくとも１つの弦ピンを含む。このようにして、第一固定部材を固定する目的のために、弦楽器を変更することは不要である。
【００１５】
本発明は、前記段落中に特定されるようなシステムを備える弦楽器にも関する。
【００１６】
本発明は、前記段落中に特定されるようなシステムの一部としての第一固定部材にも関する。
【００１７】
本発明は、前記段落中に特定されるようなシステムの一部としての第二固定部材及び追加的な調律装置にも関する。
【００１８】
本発明は、前記段落中に特定されるようなシステムの一部としてのフック部材及び固定手段にも関する。
【００１９】
以下の図面に基づき本発明を更に解明する。
【図面の簡単な説明】
【００２０】
【図１】本発明に従ったクランプ部材を備える弦楽器を示す概略図である。
【図２Ａ】本発明に従ったフック部材を備える弦楽器を示す概略図である。
【図２Ｂ】本発明に従った代替的なフック部材を備える弦楽器を示す概略図である。
【図３Ａ】本発明に従ったクランプ部材の可能な実施態様を示す概略図である。
【図３Ｂ】図３Ａのクランプ部材を組立て位置で示す概略図である。
【図４Ａ】クランプ部材を示す概略図であり、調律装置がその上に横方向に取り付けられている。
【図４Ｂ】クランプ部材を示す概略図であり、調律装置が長手方向に取り付けられている。
【図４Ｃ】図２Ａのフック部材を概略的に示す側面図である。
【図４Ｄ】図２Ｂのフック部材を概略的に示す側面図である。
【図５Ａ】掛止されていない弦を備える弦楽器を概略的に示す断面図である。
【図５Ｂ】掛止された弦を備える弦楽器を概略的に示す断面図である。
【図５Ｃ】代替的なフック部材を概略的に示す側面図である。
【図５Ｄ】図５Ｃのフック部材を概略的に示す上面図である。
【図５Ｅ】更なる代替的なフック部材を概略的に示す側面図である。
【図５Ｆ】図５Ｅのフック部材を概略的に示す上面図である。
【図６Ａ】固定部材を備える弦楽器を示す概略図である。
【図６Ｂ】代替的な固定部材を示す概略図である。
【発明を実施するための形態】
【００２１】
図１は、弦楽器１の頭部３に締め付けられる本発明に従ったクランプ部材２を備える弦楽器１を概略的に示している。クランプ部材２は、標準的な調律装置４を備え、調律装置４を用いて、弦楽器１に追加される弦（ストリング）５を伸長し得る。ギターの場合には、弦５は、例えば、Ｇ線６に沿って走り、１オクターブ高く調律される。次に、弦は、Ｇ線６と同時に叩かれ、驚くほど温かい音調をＧ線６に付与する。弦５の他方の側は、弦ピン７を使用してＧ線６と共に固定される。所望であれば、Ｇ線６に対して弦５を分離する目的のために、ブリッジサドル８に溝を配置し得る。例えば、何故ならば、これによって使用の便宜が向上されるので、或いは、その場合には、弦楽器がそのケース内により良好に適合するので、４分の１の回転を通じて調律装置４を回転することが可能である。
【００２２】
図２は、本発明に従ったフック部材９を備える弦楽器１を概略的に示しており、変わらない音で弦楽器を演奏することが望まれるときには、弦５をフック部材９の背部に掛止し得る。フック部材９は、ここでは、例えば、木製又はプラスチック製の条片（ストリップ）１０内に取り付けられる毒キノコ形状の物体から成り得る。この条片１０は、弦楽器１の音響孔１１内に締め付けられる。弦５は、弦楽器のフレット１２に対してフック部材９によって引っ張られ、その場合には、もはや共鳴し得ない。弦楽器１の演奏中に弦５をフック部材９の背部に掛止すること、或いは、逆に、演奏中に弦楽器の音色を変更し得るよう、弦を解放することが容易に可能である。
【００２３】
図２Ｂは、本発明に従った代替的なフック部材９を備える弦楽器１を概略的に示しており、不変の音で弦楽器１を演奏することが望まれるときには、フック部材の背後に弦５を掛止し得る。フック部材は、ここでは、条片１３内に取り付けられる毒キノコ形状の物体から成り、この条片１３は下面に接着パッド１４ａ，１４ｂを備え、接着パッドを用いて条片１３を弦楽器１に接着することができ、望ましければ、弦楽器１を傷付けずに弦楽器から再び解放される。弦５は弦楽器のフレット１２に対してフック部材９によって引っ張られ、その場合には、もはや共鳴し得ない。弦楽器１の演奏中にフック部材９の背後に弦５を掛止すること、或いは、逆に、弦楽器の音色を変更し得るよう、弦を解放することが容易に可能である。
【００２４】
図３Ａは、本発明に従ったクランプ部材２の考え得る実施態様を概略的に示している。クランプ部材２は、弦楽器１の頭部３の周りに押し付け得る金属又はプラスチックから製造されるＵ形状断面の部分１５と、調律装置４を取り付け得る取付けプレート１６とから成る。取付けプレート１６は、この目的のために、孔１７を備え、孔は、ここでは、調律装置４を異なる位置に取り付け得るよう、スロット付き孔として具現化されている。使用位置において頭部３の下に位置付けられるＵ形状部分１５の部分は、プレート１９を受け入れ得るチャンバ１８と、締結ネジを螺挿し得るネジ山付き孔２０とを備える。締結ネジは、プレート１９を頭部３に押し付ける。使用位置において頭部の上に位置付けられるＵ形状部分１５の部分は、好ましくは、軽量の装飾的な形態が付与され、例えば、２つの指部２２ａ，２２ｂから成る。
【００２５】
図３Ｂは、このクランプ部材２を組立て状態で示しており、Ｕ形状部分１５の内側は、例えば、フェルトから製造される層２３で更に覆われ、それは頭部３が傷付けられることを防止し、更に、プレート１９がチャンバ１８から脱落することを防止する。同様に示されているのは、直立縁部２４であり、直立縁部２４は、伸長された弦によって調律装置が移動され得ないよう、調律装置が取り付けられる停止部を形成する。調律装置をクランプ部材２内に組み込むことも勿論可能であり、その場合には、スロット付き孔を配置することは不要である。しかしながら、調整の選択肢はそれによって失われる。
【００２６】
図４Ａは、調律装置４がその上に横方向に取り付けられた状態のクランプ部材２を概略的に示している。調律装置４はスロット付き孔１７を通じて挿入され、調律装置が縁部２４に支持されるように移動され、然る後、調律装置４はナット２５で固定される。
【００２７】
図４Ｂは、調律装置４が長手方向に取り付けられた状態のクランプ部材２を概略的に示している。この位置においても、調律装置４はスロット付き孔１７を通じて挿入され、調律装置４が縁部２４に支持されるように移動され、然る後、調律装置４はナット２５で固定される。
【００２８】
図４Ｃは、条片１０の上に取り付けられた図２Ａのフック部材９を概略的に示しており、条片１０は弦楽器１の音響孔１１内に締め付けられる。条片１０は、この目的のために、その周縁に溝２６を備え、使用位置において、音響窓１１の縁部が溝に適合する。フック部材９は、ここでは、毒キノコ形態を取り、フェルト又は他の種類の制動材料から製造されるリング２７を備え、それによって、弦が掛止されるときに、弦５が音を出すのを防止する。２つ又は３つの別個の層から条片１０を組み立てることも勿論可能であり、条片１３を音響窓１１内に固定するために、ネジ又はバネを使用して、それらの層を互いに締め付け得る。
【００２９】
図４Ｄは、２つの接着パッド１４ａ，１４ｂを備える条片１３の上に取り付けられた図２Ｂのフック部材９の概略的な側面図を示しており、条片１３は接着パッドを用いて弦楽器１に接着される。フック部材９は、ここでは、毒キノコ形態を取り、フェルト又は他の制動材料から製造されるリング２７を備え、それによって、弦５が掛止されるときに、弦５が音を出すのを防止する。
【００３０】
図５Ａは、弦楽器１の概略的な断面図を示しており、弦５は、掛止されていない。弦５は、調律装置４から弦ピン７まで、フレット１２に触れずにフレット１２の上を走り、条片１０の上に取り付けられたフック部材９の上を十分な距離で通っている。
【００３１】
図５Ｂは、この弦楽器１の概略的な断面図を示しており、弦５は、掛止されている。弦５が最早振動し得ないよう、弦５はフック部材９によってフレット１２の上に引っ張られている。
【００３２】
図５Ｃは、代替的なフック部材２８の概略的な側面図を示している。フック部材２８は、取付けピン２９と、フック３０とから成り、好ましくは、金属から製造される。弦５内の振動を制動するために、制動材料の管３１がフック３０の周りに配置されている。
【００３３】
図５Ｄは、フック部材２８の上面図を示しており、フック３０と、管３１とを備える。
【００３４】
図５Ｅは、更なる代替的なフック部材３２の概略的な側面図を示している。フック部材３２は、取付けピン３３と、３つのフック３４ａ，３４ｂ，３４ｃとから成り、好ましくは、金属から製造される。弦５内の振動を制動するために、制動材料の管３５ａ，３５ｂ，３５ｃがフック３４ａ，３４ｂ，３４ｃの周りに配置されている。その利点は、実質的に如何なる弦楽器の上にもフック部材３２を配置し得ることである。何故ならば、フックのうちの１つが常に快適な高さに位置するからである。
【００３５】
図５Ｆは、このフック部材３２の上面図を示しており、フック３４ａ，３４ｂ，３４ｃと、管３５ａとを備える。
【００３６】
図６Ａは、追加的な弦のための固定部材３６を備える弦楽器を概略的に示している。ここでは、固定部材３６は、固定部材を弦ピンの間に押し込み得るよう、櫛状の形態を取る。固定部材３６は、直立縁部３７を備え、直立縁部３７は、追加的な弦を配置し得る孔を備え、その場合には、弦に標準として取り付けられるリング３８が実際的な固定をもたらす。望ましければ、弦ピンを配置し得る多数の孔を用いて固定部材３６を具現化し得る。
【００３７】
図６Ｂは、弦ピンを具備しない弦楽器のために使用し得る代替的な固定部材３９を概略的に示している。この場合には、弦楽器の上側は、ブリッジ４０を概ね備え、ブリッジ４０は、弦を配置し得る穿孔を備え、その場合には、実際の固定は穿孔を通過し得ないリング３８によってもたらされる。この実施態様において、固定部材３９は、ブリッジ４０に対して配置され、幾つかの弦がノッチ４１ａ，４１ｂ内に落ちる。次に、弦が伸長され、固定部材３９がブリッジ４０に対して堅く引かれる。固定部材３９の上側は、追加的な弦を今や固定し得るノッチ４１ｃを備える。
【図１】
0005670879.tif 000002
【図２Ａ】
0005670879.tif 000003
【図２Ｂ】
0005670879.tif 000004
【図３Ａ】
0005670879.tif 000005
【図３Ｂ】
0005670879.tif 000006
【図４Ａ】
0005670879.tif 000007
【図４Ｂ】
0005670879.tif 000008
【図４Ｃ】
0005670879.tif 000009
【図４Ｄ】
0005670879.tif 000010
【図５Ａ】
0005670879.tif 000011
【図５Ｂ】
0005670879.tif 000012
【図５Ｃ】
0005670879.tif 000013
【図５Ｄ】
0005670879.tif 000014
【図５Ｅ】
0005670879.tif 000015
【図５Ｆ】
0005670879.tif 000016
【図６Ａ】
0005670879.tif 000017
【図６Ｂ】
0005670879.tif 000018